(57)【要約】【課題】著作権を保護しつつコンテンツ配信を行い、視聴期限内での効率的な配信を可能とする。【解決手段】コンテンツ配信装置１００は、媒体情報が書き込まれた情報記憶媒体にコンテンツを記録可能とするユーザ端末装置２００に対して、通信回線３００を介して著作権保護が要求されるコンテンツの配信サービスを行う。そして、ユーザ端末装置２００からコンテンツ配信要求を受けた時にコンテンツリストを配布し、コンテンツ選択情報を受け取る。その際、ユーザ端末装置２００から媒体情報を取得し、この媒体情報を暗号化コンテンツ鍵発行装置４００に送って当該媒体情報に基づく暗号化コンテンツ鍵を受け取り、この暗号化コンテンツ鍵によりコンテンツを暗号化して配信要求元のユーザ端末装置２００に配信する。暗号化コンテンツ鍵はユーザ端末装置２００から視聴要求がある度に配信するものとし、視聴有効期限が過ぎた場合には鍵配信を停止する。【選択図】      図１
2005159752.tif 000002
【特許請求の範囲】
【請求項１】
媒体固有識別子及び媒体鍵情報の媒体情報が書き込まれた情報記憶媒体に、または前記情報記憶媒体がセットされた状態で前記情報記憶媒体とは別の情報記憶媒体にコンテンツを記録可能とするユーザ端末装置に対して、コンテンツ配信装置から通信回線を介して著作権保護が要求されるコンテンツの配信サービスを行うコンテンツ配信サービス提供システムであって、
前記コンテンツ配信装置は、
前記ユーザ端末装置から、予め配布されるコンテンツ選択リストに基づくコンテンツ配信要求を受け取るコンテンツ配信要求取得手段と、
前記コンテンツ配信要求を受けた際に視聴有効期間、視聴可能回数の少なくともいずれかを含む視聴条件リストを要求元のユーザ端末装置に配布して、その視聴条件選択結果を受け取る視聴条件取得手段と、
前記ユーザ端末装置から前記媒体情報を取得し管理する媒体情報管理手段と、
前記コンテンツ選択リストに載せられたコンテンツを所定のコンテンツ鍵で暗号化して管理し、前記コンテンツ配信要求に対応する暗号化コンテンツを要求元のユーザ端末装置に配信する暗号化コンテンツ管理手段と、
前記媒体情報を暗号化コンテンツ鍵発行装置に送って当該媒体情報及び予め登録された装置固有鍵情報に基づいて前記配信コンテンツの暗号化に使用したコンテンツ鍵の暗号化を委託し、その暗号化コンテンツ鍵を受け取る暗号化コンテンツ鍵取得手段と、
前記ユーザ端末装置から、既に配信された暗号化コンテンツの視聴要求に応じて視聴要求元のユーザ端末装置に対応する暗号化コンテンツ鍵を配信する暗号化コンテンツ鍵配信手段と、
前記視聴条件をユーザ単位で管理し、視聴要求時に視聴条件を満たすか否か判断し、前記暗号化コンテンツ鍵配信手段に、前記視聴要求時に視聴条件を満たすと判断されたときのみ前記暗号化コンテンツ鍵を配信させるユーザ管理手段とを備え、
前記ユーザ端末装置は、
前記コンテンツ配信装置に、予め配布されるコンテンツ選択リストに従ってコンテンツ配信を要求するコンテンツ配信要求手段と、
前記コンテンツ配信要求に際して前記コンテンツ配信装置から配布される視聴有効期間、視聴可能回数の少なくともいずれかを含む視聴条件リストから任意の視聴条件を選択指示する視聴条件指示手段と、
前記コンテンツ配信装置へ媒体情報を送出する媒体情報送出手段と、
前記コンテンツ配信装置から配信される暗号化コンテンツを受け取り、前記情報記憶媒体に記録するコンテンツ記録手段と、
前記記録コンテンツの視聴開始時に前記コンテンツ配信装置に視聴要求を送って前記暗号化コンテンツ鍵を取得する暗号化コンテンツ鍵取得手段と、
前記媒体情報及び予め登録されている装置固有鍵情報に基づいて前記暗号化コンテンツ鍵からコンテンツ鍵を生成し、このコンテンツ鍵により前記情報記憶媒体から読み出される暗号化コンテンツを復号し再生する復号再生手段とを備えることを特徴とするコンテンツ配信サービス提供システム。
【請求項２】
前記ユーザ管理手段は、前記ユーザ端末装置に配信したコンテンツの配信履歴情報をユーザ単位で管理し、前記コンテンツ配信要求または視聴要求を取得したとき、当該ユーザのコンテンツ配信履歴情報を参照して、未配信のとき、前記暗号化コンテンツ管理手段に要求された暗号化コンテンツを配信させることを特徴とする請求項１記載のコンテンツ配信サービス提供システム。
【請求項３】
前記媒体情報管理手段は、前記ユーザ端末装置から視聴要求があったとき、必要に応じて媒体情報を要求し確認することを特徴とする請求項１記載のコンテンツ配信サービス提供システム。
【請求項４】
媒体固有識別子及び媒体鍵情報の媒体情報が書き込まれた情報記憶媒体に、または前記情報記憶媒体がセットされた状態で前記情報記憶媒体とは別の情報記憶媒体にコンテンツを記録可能とするユーザ端末装置に対して、通信回線を介して著作権保護が要求されるコンテンツの配信サービスを行うコンテンツ配信サービス提供システムのコンテンツ配信装置であって、
前記ユーザ端末装置から、予め配布されるコンテンツ選択リストに基づくコンテンツ配信要求を受け取るコンテンツ配信要求取得手段と、
前記コンテンツ配信要求を受けた際に視聴有効期間、視聴可能回数の少なくともいずれかを含む視聴条件リストを要求元のユーザ端末装置に配布して、その視聴条件選択結果を受け取る視聴条件取得手段と、
前記ユーザ端末装置から前記媒体情報を取得し管理する媒体情報管理手段と、
前記コンテンツ選択リストに載せられたコンテンツを所定のコンテンツ鍵で暗号化して管理し、前記コンテンツ配信要求に対応する暗号化コンテンツを要求元のユーザ端末装置に配信する暗号化コンテンツ管理手段と、
前記媒体情報を暗号化コンテンツ鍵発行装置に送って当該媒体情報及び予め登録された装置固有鍵情報に基づいて前記配信コンテンツの暗号化に使用したコンテンツ鍵の暗号化を委託し、その暗号化コンテンツ鍵を受け取る暗号化コンテンツ鍵取得手段と、
前記ユーザ端末装置から、既に配信された暗号化コンテンツの視聴要求に応じて視聴要求元のユーザ端末装置に対応する暗号化コンテンツ鍵を配信する暗号化コンテンツ鍵配信手段と、
前記視聴条件をユーザ単位で管理し、視聴要求時に視聴条件を満たすか否か判断するユーザ管理手段とを具備し、
前記暗号化コンテンツ鍵配信手段は、前記視聴要求時に視聴条件を満たすと判断されたときのみ前記暗号化コンテンツ鍵を配信することを特徴とするコンテンツ配信装置。
【請求項５】
前記ユーザ管理手段は、前記ユーザ端末装置に配信したコンテンツの配信履歴情報をユーザ単位で管理し、前記コンテンツ配信要求または視聴要求を取得したとき、当該ユーザのコンテンツ配信履歴情報を参照して、未配信のとき、前記暗号化コンテンツ管理手段に要求された暗号化コンテンツを配信させることを特徴とする請求項４記載のコンテンツ配信装置。
【請求項６】
前記媒体情報管理手段は、前記ユーザ端末装置から視聴要求があったとき、必要に応じて媒体情報を要求し確認することを特徴とする請求項４記載のコンテンツ配信装置。
【請求項７】
前記コンテンツ選択リストによるコンテンツ選択には、コンテンツの品質を選択可能とすることを特徴とする請求項４記載のコンテンツ配信装置。
【請求項８】
前記暗号化コンテンツ管理手段は、前記暗号化コンテンツ内にコンテンツ再生途中で前記暗号化コンテンツ鍵を要求するための情報を入れておくことを特徴とする請求項４記載のコンテンツ配信装置。
【請求項９】
前記暗号化コンテンツ鍵配信手段は、コンテンツ再生途中で発生される鍵配信要求に応じて前記暗号化コンテンツ鍵を配信することを特徴とする請求項４記載のコンテンツ配信装置。
【請求項１０】
前記暗号化コンテンツ管理手段は、前記暗号化コンテンツを複数コンテンツに分割して管理し、前記ユーザ端末装置からの配信要求モードに応じて前記分割された暗号化コンテンツを選択的にまたは順番にまたは指定順序で配信することを特徴とする請求項４記載のコンテンツ配信装置。
【請求項１１】
前記暗号化コンテンツ管理手段は、前記分割された暗号化コンテンツのうち、予め決められた必須配信の分割コンテンツを送り、他の分割コンテンツをオプション指定により配信することを特徴とする請求項１０記載のコンテンツ配信装置。
【請求項１２】
前記ユーザ管理手段は、前記分割された暗号化コンテンツのうち、予め決められた分割コンテンツの視聴要求をもって課金処理を実行することを特徴とする請求項１０記載のコンテンツ配信装置。
【請求項１３】
さらに、前記ユーザ管理手段は、前記視聴条件を含むコンテンツ配信履歴を管理し、前記ユーザ端末装置からコンテンツ視聴要求時にコンテンツ蓄積状況を取得して現在配信中のコンテンツ記録状況と比較照合し、その照合結果からコンテンツ内の未配信部分を把握することを特徴とする請求項４記載のコンテンツ配信装置。
【請求項１４】
前記コンテンツ配信手段は、ユーザ端末装置に暗号化コンテンツを配信する際に、配信に要するデータ量、時間情報の少なくともいずれかを通知することを特徴とする請求項２記載のコンテンツ配信装置。
【請求項１５】
前記暗号化コンテンツ管理手段は、コンテンツ配信に際して、前記ユーザ管理手段の管理情報から要求元のユーザ端末装置の情報記憶媒体に既に全部あるいは一部の暗号化コンテンツが記録されているか否かを判別し、既に記録されている場合には、記録時にセットした情報記憶媒体の少なくとも媒体固有識別子を要求し、媒体固有識別子の一致が得られない場合には新たに費用が発生する旨を通知することを特徴とする請求項４記載のコンテンツ配信装置。
【請求項１６】
前記ユーザ管理手段は、前記ユーザ端末装置からの視聴条件変更を受け付け、変更内容に応じて課金処理することを特徴とする請求項４記載のコンテンツ配信装置。
【請求項１７】
前記ユーザ管理手段は、前記ユーザ端末装置からの配信済みコンテンツの購入要求を受け付け、購入課金処理を行うと共に、要求元に前記暗号化コンテンツ鍵の保存を許可することを特徴とする請求項４記載のコンテンツ配信装置。
【請求項１８】
コンテンツ配信装置から通信回線を介して著作権保護が要求されるコンテンツの配信サービスを行うコンテンツ配信サービス提供システムに用いられ、媒体固有識別子及び媒体鍵情報の媒体情報が書き込まれた情報記憶媒体に、または前記情報記憶媒体がセットされた状態で前記情報記憶媒体とは別の情報記憶媒体にコンテンツを記録可能とするユーザ端末装置であって、
前記コンテンツ配信装置に、予め配布されるコンテンツ選択リストに従ってコンテンツ配信を要求するコンテンツ配信要求手段と、
前記コンテンツ配信要求に際して前記コンテンツ配信装置から配布される視聴有効期間、視聴可能回数の少なくともいずれかを含む視聴条件リストから任意の視聴条件を選択指示する視聴条件指示手段と、
前記コンテンツ配信装置へ媒体情報を送出する媒体情報送出手段と、
前記コンテンツ配信装置から配信される暗号化コンテンツを受け取り、前記情報記憶媒体に記録するコンテンツ記録手段と、
前記記録コンテンツの視聴開始時に前記コンテンツ配信装置に視聴要求を送って前記暗号化コンテンツ鍵を取得する暗号化コンテンツ鍵取得手段と、
前記媒体情報及び予め登録されている装置固有鍵情報に基づいて前記暗号化コンテンツ鍵からコンテンツ鍵を生成し、このコンテンツ鍵により前記情報記憶媒体から読み出される暗号化コンテンツを復号し再生する復号再生手段とを具備することを特徴とするユーザ端末装置。
【請求項１９】
前記暗号化コンテンツ鍵取得手段は、前記コンテンツの再生途中で鍵取得要求が発生するとき、前記コンテンツ配信装置に視聴要求を送ることを特徴とする請求項１８記載のユーザ端末装置。
【請求項２０】
前記暗号化コンテンツが複数コンテンツに分割されているとき、配信要求モードとして前記分割された暗号化コンテンツを選択的にまたは順番にまたは指定順序で配信するように指示する配信要求手段を備えることを特徴とする請求項１８記載のユーザ端末装置。
【請求項２１】
前記分割された暗号化コンテンツのうち、予め決められた必須配信の分割コンテンツを受け取り、他の分割コンテンツをオプション指定で受け取ることを特徴とする請求項２０記載のユーザ端末装置。
【請求項２２】
前記分割された暗号化コンテンツのうち、予め決められた分割コンテンツの視聴を要求する際に課金が開始されることを通知することを特徴とする請求項２０記載のユーザ端末装置。
【請求項２３】
さらに、前記コンテンツ視聴要求時に前記コンテンツ配信装置へコンテンツ蓄積状況を通知するコンテンツ蓄積状況通知手段を備えることを特徴とする請求項１８記載のユーザ端末装置。
【請求項２４】
さらに、前記コンテンツ配信手段から暗号化コンテンツを配信する際に通知される配信に要するデータ量、時間情報の少なくともいずれかに基づいて、前記情報記憶媒体への記録状況を識別表示する記録状況表示手段を備えることを特徴とする請求項１８記載のユーザ端末装置。
【請求項２５】
前記記録状況表示手段は、現在配信を完了している量、現在視聴している経過時間、配信完了予定時刻をスケールゲージで表示することを特徴とする請求項２４記載のユーザ端末装置。
【請求項２６】
前記記録状況表示手段は、前記配信コンテンツが複数のコンテンツに分割されており、複数の分割コンテンツが要求順に送られてくる場合に、前記スケールゲージに現在配信が完了していない領域、データ容量を視覚的に表示することを特徴とする請求項２５記載のユーザ端末装置。
【請求項２７】
前記記録状況表示手段は、前記分割コンテンツを示すキャプチャー単位でダウンロードの完了状況を示すステータス情報を視覚的に表示することを特徴とする請求項２６記載のユーザ端末装置。
【請求項２８】
前記コンテンツ配信装置から既に全部あるいは一部の暗号化コンテンツの配信を受けて前記情報記憶媒体に記録されている状態で、追加して任意の暗号化コンテンツの配信を要求する場合に、先のコンテンツの記録時にセットした情報記憶媒体の媒体情報を前記コンテンツ配信装置に通知することを特徴とする請求項１８記載のユーザ端末装置。
【請求項２９】
前記視聴有効期間、視聴可能回数の延長を希望する場合に、前記視聴条件の変更要求を前記コンテンツ配信装置に通知する条件変更要求手段を備えることを特徴とする請求項１８記載のユーザ端末装置。
【請求項３０】
前記蓄積コンテンツの購入を希望する場合に、購入要求を前記コンテンツ配信装置に通知する購入要求手段と、
前記購入要求に応答して前記コンテンツ配信装置から送られてくる鍵保存許可を受けて前記暗号化コンテンツ鍵を前記情報記憶媒体に埋め込み、前記蓄積コンテンツの復号再生を常時可能とすることを特徴とする請求項１８記載のユーザ端末装置。
【発明の詳細な説明】
【技術分野】
【０００１】
本発明は、通信回線を介して著作権保護が要求されるコンテンツの配信サービスを行うコンテンツ配信サービスシステムに係り、そのコンテンツを配信するコンテンツ配信装置とそのサービスを受けるユーザ端末装置に関する。
【背景技術】
【０００２】
近年、インターネット等の通信技術、デジタル信号処理によるデータ圧縮技術等の発達により、通信回線を利用して、楽曲、映画、ゲーム等の膨大なデータ量のコンテンツを配信することが可能となり、場所、時間を問わず、コンテンツ配信サービスを受けられるようになった。
【０００３】
このコンテンツ配信サービスを実現するシステムでは、購入・視聴希望者（以下、ユーザ）がパーソナルコンピュータ（以下、パソコン）あるいはセットトップボックス（ＳＴＢ）等の通信端末機器（以下、ユーザ端末装置）から所望のコンテンツを配信しているコンテンツ配信センターへアクセスし、メニュー画面に従って購入あるいは視聴要求を通知することで、ダウンロードまたは再生・視聴可能とする構成が一般的である。
【０００４】
但し、現状では、ユーザ端末装置がサービスを受られるまでの設定手続きが家電並の操作性となっていない。人気、話題性のあるコンテンツの著作権保有者（または著作権管理者、以下、両者の概念を総称して著作権保有者と称する場合も有る）は、不正コピーなどの心配から、未だ通信回線を利用したユーザ端末装置への配信に関して躊躇しているが、未だ著作権保有者の信用を得てユーザが欲する人気、話題性のあるコンテンツを配信、視聴できる有効な仕組みが実現されていない。仮に人気、話題性のあるコンテンツを配信できたとしても、著作権保有者に対して高額な最低保証金を支払った上での配信となり、ビジネスとしての成立が困難となる。
【０００５】
このような問題に加え、コンテンツを選択し即座に視聴したいという要望に対し、通信回線の負荷状況によっては安定した視聴が困難な場合が想定される。また、一定の期間に複数回視聴したい場合に、その都度通信回線を介してコンテンツを取得しなければならず、通信回線に負荷を与え、通信インフラの高額化につながる、などの課題がある。
【０００６】
尚、特許文献１には、著作権付コンテンツデータを不正な利用から保護しつつ、正当な記録も可能な情報記憶媒体とその記録／再生装置が開示されている。この文献の開示内容は、情報記憶媒体のコンテンツ記録領域とは切り離された場所に制御装置を備え、所定の情報記憶媒体本体とこれに対応する制御装置との組み合わせのときのみ、情報記憶媒体内のコンテンツデータを利用できる構成により、情報記憶媒体の手軽さを維持しつつ、複雑なセキュリティ機能を実現するというものである。この技術は、著作権付コンテンツデータの記録が不正利用につながる点を解決するためのものであり、通信回線を利用したコンテンツデータの配信サービスを実現する上での利便性、セキュリティ対策までは考慮されていない。
【０００７】
また、特許文献２には、著作権付コンテンツデータに対応する電子化文書の配信を行う際に、アクセス集中によるネットワーク上の負荷を低減しつつ、第三者機関による原本性の認証を行うシステムが開示されている。コンテンツデータ配信において、アクセス認証は必須となるが、特許文献２に開示される認証技術は原本性の認証に関するものであり、後述する本発明とは認証の使用方法が異なる。
【０００８】
また、特許文献３には、端末装置がデータを利用する際に、情報管理センターに登録番号を送信して判定を行い、デジタル情報の使用許可を端末装置に送信する方法が開示されている。この方法の場合、端末装置に保管されたデジタル情報自体の保護が考慮になく、情報記憶媒体の媒体情報に基づいてデジタル情報自体の復号を可能にする鍵を暗号化して送信する本発明とは異なる。
【０００９】
また、特許文献４には、保護領域とデータ領域を併せ持つ記憶媒体とコンテンツ再生装置の構成を用いてコンテンツに対する利用期限の指定と不正なコンテンツ利用を防止する方法が開示されている。この方法の場合、利用期限情報が記憶媒体内の保護領域に保管され、この情報に基づいて再生可否判定を行っており、通信回線を介してユーザ毎の利用制限情報と情報記憶媒体の媒体情報に基づく視聴制限を可能にする本発明と異なる。例えば、視聴期間の延長といった課金管理と絡む柔軟なサービスを提供することは困難である。また、コンテンツ再生装置にて現在日時を参照するために何らかのタイマーを保有することが必要となり、コンテンツ配信装置にて一元管理されたタイマーを使用する本発明と比べ、端末装置のコストがかかる。
【００１０】
また、特許文献５には、機器１台毎に付与された端末の個別ＩＤをセンターに送信し、このＩＤを使用して再生許可期間内であるかを判定する情報が入ったコンテンツ管理情報を暗号化する方法が開示されている。この方法の場合、暗号化及び復号化を行う条件として、機器１台毎に付与された端末の個別ＩＤを使用しており、通信回線を介して情報記憶媒体の媒体情報に基づく視聴制限を可能にする本発明と異なる。
【００１１】
また、特許文献６には、暗号化データの復号鍵に有効期限情報を添える方法が開示されているが、コンテンツ配信装置にて一元管理された基準時刻にて暗号化コンテンツを復号可能にする暗号化コンテンツ鍵自体を送信するか否かを判断、制御している本発明と異なる。
【特許文献１】特開２００２−１９６９８２号公報
【特許文献２】特開２００２−２２２２８５号公報
【特許文献３】特開平１０−２０７７７９号公報
【特許文献４】特開２００３−０２２３３９号公報
【特許文献５】特開２００１−２５８００９号公報
【特許文献６】特開２００３−１７４４３９号公報
【発明の開示】
【発明が解決しようとする課題】
【００１２】
以上述べたように、コンテンツ配信サービスは、ユーザからの要望あるいはビジネス的魅力があっても、サービスを受けられるまでの設定の問題、不正流通の問題、安定した視聴の問題、視聴期限内での効率的な配信の問題が足かせとなって、市場に見合う普及には至っていない。
【００１３】
本発明は、以上のような実情を考慮してなされたもので、コンテンツの不正流通を阻止する著作権保護の仕組みを具備した形で、コンテンツの著作権保有者または著作権管理者から信頼を得ることにより、リーズナブル価格で通信回線を利用して安定した視聴ができ、有効な視聴期限の管理及びユーザ端末装置へ配信を行い、視聴期限内での効率的な配信を可能とする有効なコンテンツ配信サービスを実現することのできるコンテンツ配信サービス提供システムとそのコンテンツ配信装置及びユーザ端末装置を提供することを目的とする。
【課題を解決するための手段】
【００１４】
以上の目的を達成するために、本発明に係るコンテンツ配信サービス提供システムは、以下のコンテンツ配信装置及びユーザ端末装置を備えることを特徴とする。
【００１５】
まず、コンテンツ配信装置は、媒体固有識別子及び媒体鍵情報の媒体情報が書き込まれた情報記憶媒体に、または前記情報記憶媒体がセットされた状態で前記情報記憶媒体とは別の情報記憶媒体にコンテンツを記録可能とするユーザ端末装置に対して、通信回線を介して著作権保護が要求されるコンテンツの配信サービスを行う装置であって、前記ユーザ端末装置から、予め配布されるコンテンツ選択リストに基づくコンテンツ配信要求を受け取るコンテンツ配信要求取得手段と、前記コンテンツ配信要求を受けた際に視聴有効期間、視聴可能回数の少なくともいずれかを含む視聴条件リストを要求元のユーザ端末装置に配布して、その視聴条件選択結果を受け取る視聴条件取得手段と、前記ユーザ端末装置から前記媒体情報を取得し管理する媒体情報管理手段と、前記コンテンツ選択リストに載せられたコンテンツを所定のコンテンツ鍵で暗号化して管理し、前記コンテンツ配信要求に対応する暗号化コンテンツを要求元のユーザ端末装置に配信する暗号化コンテンツ管理手段と、前記媒体情報を暗号化コンテンツ鍵発行装置に送って当該媒体情報及び予め登録された装置固有鍵情報に基づいて前記配信コンテンツの暗号化に使用したコンテンツ鍵の暗号化を委託し、その暗号化コンテンツ鍵を受け取る暗号化コンテンツ鍵取得手段と、前記ユーザ端末装置から、既に配信された暗号化コンテンツの視聴要求に応じて視聴要求元のユーザ端末装置に対応する暗号化コンテンツ鍵を配信する暗号化コンテンツ鍵配信手段と、前記視聴条件をユーザ単位で管理し、視聴要求時に視聴条件を満たすか否か判断するユーザ管理手段とを具備し、前記暗号化コンテンツ鍵配信手段は、前記視聴要求時に視聴条件を満たすと判断されたときのみ前記暗号化コンテンツ鍵を配信することを特徴とする。
【００１６】
また、ユーザ端末装置は、コンテンツ配信装置から通信回線を介して著作権保護が要求されるコンテンツの配信サービスを行うシステムに用いられ、媒体固有識別子及び媒体鍵情報の媒体情報が書き込まれた情報記憶媒体に、または前記情報記憶媒体がセットされた状態で前記情報記憶媒体とは別の情報記憶媒体にコンテンツを記録可能とする装置であって、前記コンテンツ配信装置に、予め配布されるコンテンツ選択リストに従ってコンテンツ配信を要求するコンテンツ配信要求手段と、前記コンテンツ配信要求に際して前記コンテンツ配信装置から配布される視聴有効期間、視聴可能回数の少なくともいずれかを含む視聴条件リストから任意の視聴条件を選択指示する視聴条件指示手段と、前記コンテンツ配信装置へ媒体情報を送出する媒体情報送出手段と、前記コンテンツ配信装置から配信される暗号化コンテンツを受け取り、前記情報記憶媒体に記録するコンテンツ記録手段と、前記記録コンテンツの視聴開始時に前記コンテンツ配信装置に視聴要求を送って前記暗号化コンテンツ鍵を取得する暗号化コンテンツ鍵取得手段と、前記媒体情報及び予め登録されている装置固有鍵情報に基づいて前記暗号化コンテンツ鍵からコンテンツ鍵を生成し、このコンテンツ鍵により前記情報記憶媒体から読み出される暗号化コンテンツを復号し再生する復号再生手段とを具備することを特徴とする。
【発明の効果】
【００１７】
本発明によれば、コンテンツの不正流通を阻止する著作権保護の仕組みを具備した形で、コンテンツの著作権保有者または著作権管理者から信頼を得ることにより、リーズナブル価格で通信回線を利用して安定した視聴ができ、有効な視聴期限の管理及び端末装置へ配信を行い視聴期限内での効率的な配信を可能とする有効なコンテンツ配信サービスを実現することのできるコンテンツ配信サービス提供システムのコンテンツ配信装置及びユーザ端末装置を提供することができる。
【発明を実施するための最良の形態】
【００１８】
以下、図面を参照して本発明の実施の形態を詳細に説明する。
【００１９】
図１は、本発明に係るコンテンツ配信サービスシステムを示す概念図である。尚、本システムでは、著作権保護を目的とする暗号化処理技術として、ＣＰＲＭ（Content Protection for Recordable Media）規格をネットワーク上に応用するものとする。このＣＰＲＭ規格は、メディア側に「ＭＫＢ（Media Key Block）」と呼ばれる鍵束を記録しておき、それと機器側に用意されているデバイスキーを用いて、高度な著作権保護（コピーコントロール）を実現するものである。ここで、本システムの説明で使用する媒体鍵情報、媒体固有識別子、装置固有鍵情報とは、それぞれＣＰＲＭ規格上のＭＫＢ、識別番号（ＩＤ）、デバイスキーに対応する。
【００２０】
図１に示すシステムは、コンテンツ配信センターに配置されるコンテンツ配信装置１００と、この装置１００に通信回線３００を通じてアクセスすることによりコンテンツ配信サービスを受けるユーザ端末装置２００と、コンテンツ鍵発行センターに配置され、暗号化コンテンツ鍵を発行する暗号化コンテンツ鍵発行装置４００と、コンテンツ配信装置１００に対してユーザがサービスを受けるために必要な申請手続きを行うサービス加入端末装置５００で構成される。
【００２１】
コンテンツ配信装置１００は、サービス加入受付部１１０、端末登録認証情報発行部１２０、装置情報登録部１３０、ユーザ認証部１４０、ユーザ管理部１５０、日時同期部１６０、データ分割部１７０、暗号化コンテンツ鍵取得部１８０、分割暗号化コンテンツ配信部１９０、暗号化コンテンツ鍵情報配信部１２００を備える。
【００２２】
ユーザ端末装置２００は、装置情報発行部２１０、認証情報発行部２２０、媒体情報（媒体固有識別子及び媒体鍵情報）を有する情報記憶媒体２３０、暗号化コンテンツ取得処理部２４０、暗号化コンテンツ鍵情報取得処理部２５０、コンテンツ視聴部２６０、媒体情報を有していない情報記憶媒体（以下、２３０の情報記憶媒体と区別するため、単に記憶媒体と記す）２７０を備える。
【００２３】
暗号化コンテンツ鍵発行装置４００は、暗号化コンテンツ鍵生成部４１０を備える。尚、この暗号化コンテンツ鍵発行装置４００は、コンテンツ配信装置１００とは別の事業者によって管理され、図示しないが、通信回線を通じてコンテンツ配信装置１００と接続される。
【００２４】
サービス加入端末装置５００は、サービス加入申請部５１０を備える。サービス加入端末装置５００は、コンテンツ配信装置１００と通信回線３００を介して接続可能なユーザ側のパソコン等で代用し、データ通信によって処理することも可能である。
【００２５】
上記システム構成において、以下に処理の流れに沿って、各装置を構成する処理ブロックの処理内容について説明する。
【００２６】
まず、サービス加入申請の手続き方法としては、電話によるオペレータへの口頭連絡、郵送による書面提出、ユーザのデータ通信による直接申請といった方法がある。
【００２７】
ユーザから書面または口頭でサービス加入申請があった場合、管理者（オペレータでもよい）はサービス加入端末装置５００からコンテンツ配信装置１００にアクセスし、そのサービス加入申請受付部１１０にて発行されるサービス加入申請に必要な各種要件、支払い方法の情報（以下、加入要件情報）を受け取る。サービス加入端末装置５００では、サービス加入申請部５１０にてその加入要件情報を管理者に提示し、管理者の入力操作によって各要件の回答情報が入力されると、この回答情報をサービス加入申請受付部１１０に送信する。
【００２８】
サービス加入申請受付部１１０では、図２に示すように、サービス加入申請に必要な各種の加入要件の回答情報を受け取ると（Ａ１０）、その回答情報を基に申請ユーザがサービスを受けられる適合者か否かの判定を行う（Ａ２０）。判定の結果、適合者に該当しない場合には、サービス加入端末装置５００等にサービス加入不可の通知を行う（Ａ３０ａ）。適合者である場合には、端末登録認証情報発行部１２０に加入要件回答情報を渡す。
【００２９】
端末登録認証情報発行部１２０では、ＰＩＮコード等のユーザ端末装置登録用情報を生成すると共に、ユーザＩＤ、パスワード等の認証用情報を生成する（いずれの情報も乱数的に生成されることが望ましい）（Ａ３０）。これらの情報と共にユーザ情報蓄積部Ｆ１にユーザ情報を蓄積し（Ａ４０）、ユーザ端末装置登録用情報及び認証用情報をサービス加入端末装置５００等に発行する（Ａ５０）。
【００３０】
ユーザがパソコンによるデータ通信でサービス加入申請を直接行う場合は、サービス加入端末装置５００をユーザのパソコンで代用しただけであり、オペレータとしてユーザ本人がなることから、図２と全く同様の処理手順で加入申請が可能である。尚、ユーザ端末装置２００が、サービス加入端末装置５００の機能を装備し実現してもよい。
【００３１】
サービス加入申請に必要な要件の情報としては、例えば、氏名、生年月日、住所、性別、電話番号、加入サービスのタイプ（例えば、映画コンテンツのみの視聴、スポーツコンテンツのみ視聴、全てのコンテンツを視聴等）がある。支払い方法としてはプリベートカード方式、クレジットカード方式等があり、その情報としては、例えばプリベードカード番号、クレジットカード番号、カードの有効期限等がある。
【００３２】
ユーザ端末装置２００は、コンテンツ配信装置１００にアクセスする際に、上記ＰＩＮコード等のユーザ端末装置登録用情報を付加する。これに対し、コンテンツ配信装置１００の装置情報登録部１３１は、図３に示すように、ユーザ端末装置登録用情報を受け付け（Ｂ１０）、その登録用情報が正当なものであるかを判定する（Ｂ２０）。正当な場合には、該当するユーザ情報をユーザ情報蓄積部Ｆ１から特定し、ユーザ端末装置２００からユーザ端末装置情報を取得し（Ｂ３０）、このユーザ端末装置情報をユーザ情報に追加、蓄積する（Ｂ４０）。正当でない場合には、その旨（ＮＧ）を通知して接続を遮断する（Ｂ３０ａ）。
【００３３】
ここで、同一のユーザ端末装置登録用情報であっても、ユーザ端末装置情報が異なる場合には、ユーザ情報に追加、蓄積する。
【００３４】
一方、コンテンツ配信装置１００のユーザ認証部１４０は、図４に示すように、ユーザ端末装置２００のログイン時に、上記の認証用情報及びユーザ端末装置情報を受け付け（Ｃ１０）、ユーザ端末装置情報が正当なものであるかを判定する（Ｃ２０）。正当な場合には、該当するユーザ情報をユーザ情報蓄積部Ｆ１から読み出し（Ｃ３０）、認証用情報が正当なものであるかを判定する（Ｃ４０）。ここでも正当な場合には、ログイン開始日時情報をユーザ情報蓄積部Ｆ１に蓄積し（Ｃ５０）、本ログインに係わるユーザ識別情報を生成してユーザ情報蓄積部Ｆ１に蓄積し（Ｃ６０）、ユーザ管理部１５０にユーザ識別情報等を発行する（Ｃ７０）。尚、ステップＣ２０，Ｃ４０において、正当でないと判定された場合には、ＮＧを通知して接続を遮断する（Ｃ３０ａ，Ｃ５０ａ）。
【００３５】
ユーザ管理部１５０は、図５に示すように、ユーザ認証部１４０からのユーザ識別情報等の発行を受け付け、サービス加入手続きにて登録したユーザ情報をユーザ情報蓄積部Ｆ１から読み出し（Ｄ１０）、コンテンツ情報蓄積部Ｆ２から要求ユーザに見合ったコンテンツリストを選択し（Ｄ２０）、選択したコンテンツリストをユーザ端末装置２００が表示可能なフォーマット形式等に編集し（Ｄ３０）、ユーザ端末装置２００に発行する（Ｄ４０）。
【００３６】
また、ユーザ管理部１５０は、図６に示すように、ユーザ情報蓄積部Ｆ１から既にユーザが視聴手続きを済ませたコンテンツ情報（視聴可能日限情報、視聴状況等）を読み出し（Ｅ１０，Ｅ２０）、これらのコンテンツ情報を視聴可能なコンテンツリストとしてユーザ端末装置２００が表示可能なフォーマット形式等に編集し（Ｅ３０）、ユーザ端末装置２００に発行する（Ｅ４０）。
【００３７】
また、ユーザ管理部１５０は、図７に示すように、ユーザがユーザ端末装置２００により視聴可能なコンテンツリストから視聴手続き済みコンテンツを選択した際、ユーザ情報蓄積部Ｆ１からユーザ情報を読み取り（Ｆ１０）、既に全部あるいは一部の暗号化コンテンツを視聴あるいは情報記憶媒体２３０などに蓄積されているか判定する（Ｆ２０）。判定の結果、蓄積されていなければ、コンテンツ発行処理に移行する。蓄積されている場合には、蓄積に使用された情報記憶媒体２３０をユーザ端末装置２００にセットするように通知する（Ｆ３０）。
【００３８】
ユーザが該当する情報記憶媒体２３０をユーザ端末装置２００にセットした後、ユーザ端末装置２００からセットされた情報記憶媒体２３０の媒体情報の全てあるいは一部が通知されると、この媒体情報を受け付け（Ｆ４０）、既に登録されている媒体情報との比較により、通知された媒体情報が該当する媒体のものか判定する（Ｆ５０）。判定の結果、該当する場合にはコンテンツ発行処理に移行する。ユーザが該当する情報記憶媒体２３０をセットできない場合には、新たに費用が発生する旨をユーザに通知し（Ｆ６０ａ）、ユーザの了解する旨の意向をユーザ端末装置２００から受け付ける（Ｆ７０Ａ）。
【００３９】
ここで、ユーザ情報内に前回蓄積した際の暗号化コンテンツ蓄積情報の一部を保持しておき、媒体判定時にその情報を要求し照合するようにしてもよい。同一媒体であるかが確認された場合には、どの程度の情報量が媒体上に保管されているかの情報を取得し、前回までの情報量と比較照合するとよい。
【００４０】
また、ユーザ管理部１５０は、図８に示すように、ユーザ端末装置２００からコンテンツの選択が通知された場合、選択コンテンツに対する視聴期限などのサービス形態を決定する視聴条件を発行する（Ｇ１０）。ここで、視聴条件とは、視聴期限を示すもので、この視聴期限によりコンテンツ情報蓄積部Ｆ２に蓄積されているコンテンツの価格情報を読み出し価格が決定される。視聴条件の形態として、１泊２日、３泊４日、７泊８日などの固定された日にち単位の他、ユーザの自由指定による日にち単位で設定可能とし、ユーザの指定入力を受け付けて（Ｇ２０）、価格情報を発行する（Ｇ３０）。
【００４１】
また、他の視聴条件として、視聴回数による指定、時分単位での指定、画質（ＨＤ、ＳＤ等）、これらを組み合わせた指定も可能とし（Ｇ２０）、その指定に基づく価格情報を発行する（Ｇ３０）。尚、上記価格情報については、ユーザ情報に基づく割り引率、ポイント使用等による価格調整結果を反映させることも可能である。
【００４２】
ユーザ管理部１５０は、ユーザがユーザ端末装置２００を通じて視聴条件を確定した際（Ｇ４０）、選択コンテンツ情報、選択日時情報、視聴条件、価格情報などをユーザ情報としてユーザ情報蓄積部Ｆ１（Ｇ５０）に蓄積し、ユーザ情報など必要情報を課金・決済情報蓄積部Ｆ３に蓄積する（Ｇ６０）。
【００４３】
一方、コンテンツ配信装置１００では、図９に示すように、予めコンテンツ鍵に基づいて生成された暗号化コンテンツＣ１を蓄積し（Ｈ１０）、データ分割部１７０により暗号化コンテンツを所定の単位に分割する。そして、各分割暗号化コンテンツに、分割個数とその順序を示す順序データを付加し、また、必要に応じて該当データが配信されていない場合、視聴不可とする必須配信情報を付加し（Ｈ４０）、また、必要に応じて該当データが配信される場合、課金が必要とする必須課金情報を付加し（Ｈ５０）、分割暗号化コンテンツＣ２として蓄積する（Ｈ６０）。尚、暗号化コンテンツの分割処理は必ずしも前もって処理する必要はなく、配信時に分割し順序データ等を付加して配信するようにしてもよい。
【００４４】
ユーザ管理部１５０は、図１０に示すように、ユーザがユーザ端末装置２００により視聴条件を確定した後、ユーザの選択に基づく暗号化コンテンツ、暗号化コンテンツ鍵等の保管を目的としたユーザ個別の保管エリアを生成し（Ｉ１０）、この保管エリアに暗号化コンテンツを復号するためのコンテンツ鍵を暗号化された状態で格納する（Ｉ２０）。ここで、正確に日限超過を判定するために日時情報同期部１６０から日時情報を取得し（Ｉ３０）、この日時情報に基づいて日限超過の有無を管理する（Ｉ４０）。
【００４５】
尚、上記日時情報同期部１６０は、公知の日時発行装置等から通信回線を利用して正確な日時を取得し、要求に応じて保持している日時を要求元に発行するものである。
【００４６】
ユーザ管理部１５０は、ユーザがユーザ端末装置２００により視聴条件を選択した場合、ユーザ情報等とユーザが選択したコンテンツ情報を、ユーザ個別保管エリア情報と共に暗号化コンテンツ鍵取得部１８０に発行する。
【００４７】
暗号化コンテンツ鍵取得部１８０は、図１１に示すように、ユーザ管理部１５０からユーザ情報あるいはユーザ識別情報等とユーザが選択したコンテンツ情報、ユーザ個別保管エリア情報を受け付け（Ｊ１０）、ユーザ端末装置２００からユーザ端末装置２００にセットされた情報記憶媒体２３０の媒体情報を受け付け（Ｊ２０）、コンテンツ配信装置１００の個別情報などを必要に応じて加えて（Ｊ３０）、暗号化コンテンツ鍵発行装置４００に発行する（Ｊ４０）。ここで、暗号化コンテンツ鍵発行装置４００に発行する情報として、少なくとも媒体情報とユーザが選択したコンテンツ情報を発行する。
【００４８】
暗号化コンテンツ鍵発行装置４００は、図１２に示すように、暗号化コンテンツを復号するためのコンテンツ鍵Ｋ１を蓄積する（Ｋ１０）。このとき、暗号化コンテンツ鍵生成部４１０は、通信回線３００を介して暗号化コンテンツ鍵取得部１８０から取得した情報記憶媒体２３０の媒体情報（情報記憶媒体２３０の読込専用領域に書き込まれている媒体鍵情報及び媒体固有識別子）とを受け付け（Ｋ２０）、ユーザが選択したコンテンツ情報を受け付け（Ｋ３０）、それを基に暗号化コンテンツに対応するコンテンツ鍵を選択し（Ｋ４０）、そのコンテンツ鍵を予め登録されている装置固有鍵情報及び情報記憶媒体２３０の媒体情報を基に暗号化して暗号化コンテンツ鍵Ｋ２を生成し（Ｋ５０）、暗号化コンテンツ鍵取得部１８０等の要求元に発行する（Ｋ６０）。
【００４９】
暗号化コンテンツ鍵取得部１８０は、図１３に示すように、暗号化コンテンツ鍵生成部４１０にて生成された暗号化コンテンツ鍵Ｋ２を取得し（Ｌ１０）、ユーザ個別の保管エリアに蓄積し（Ｌ２０）、その旨をユーザ情報あるいはユーザ識別情報、媒体情報、ユーザ個別保管エリア情報、暗号化コンテンツ鍵情報等と共にユーザ管理部１５０に発行する（Ｌ３０）。
【００５０】
ユーザ管理部１５０は、図１４に示すように、暗号化コンテンツ鍵取得部１８０からユーザ情報あるいはユーザ識別情報、媒体情報、ユーザ個別保管エリア情報、暗号化コンテンツ鍵情報等と共に暗号化コンテンツ鍵を取得し、ユーザ個別の保管エリアに蓄積した旨の情報を受け付け（Ｍ１０）、必要情報をユーザ情報蓄積部Ｆ１に蓄積し（Ｍ２０）、ユーザ情報あるいはユーザ識別情報等とユーザが選択したコンテンツ情報を分割暗号化コンテンツ配信部１９０に発行する（Ｍ３０）。
【００５１】
分割暗号化コンテンツ配信部１９０は、図１５に示すように、ユーザ情報あるいはユーザ識別情報等とユーザが選択したコンテンツ情報を受け付け（Ｎ１０）、該当の分割暗号化コンテンツＣ２を順序データ順に取り出し（Ｎ２０）、この順序に基づいて通信回線３００を介してユーザ端末装置２００に配信する（Ｎ３０）。
【００５２】
ここで、必要に応じて該当データが配信されていない場合、視聴不可とする必須配信情報がある場合、優先的に配信する。また、該当データが配信される際に課金が必要とする必須課金情報がある場合、課金を行うか否かの通知をユーザ端末装置２００に発行し、課金確定の確認情報をユーザ端末装置２００あるいはユーザ管理部１５０等から受け付けた後、配信する。また、ユーザ端末装置２００の早送り操作、チャプター遷移操作、サムネイル等による視聴箇所選択操作などによりユーザ端末装置２００等から他データ（本来、送付される順序が後のデータ）の配信要求があった場合、該当データを優先して配信する。
【００５３】
分割暗号化コンテンツ配信部１９０は、図１６に示すように、ユーザ端末装置２００からの要求に応じて暗号化コンテンツ鍵Ｋ２を取得し（Ｏ１０）、分割された暗号化コンテンツデータ毎の取得情報を受け付けて（Ｏ２０）、ユーザ端末装置２００に何処までのデータを配信したかの情報をユーザ管理部１５０に発行する（Ｏ３０）。
【００５４】
ユーザ管理部１５０は、図１７に示すように、分割暗号化コンテンツ配信部１９０からの何処までのデータを配信したかの情報を基に、ユーザ端末装置２００に配信された分割暗号化コンテンツＣ２の配信状況と、ユーザ端末装置２００にてユーザが通常の再生速度でコンテンツの最後まで視聴する場合の再生速度からユーザ端末装置２００にて蓄積が必要なデータ量を割り出す（Ｐ１０，Ｐ２０）。そして、そのデータ量がユーザ端末装置２００に蓄積される時間を通信回線３００を介した配信速度及びユーザ端末装置２００の蓄積速度等から算出し（Ｐ３０）、ユーザ端末装置２００に発行する（Ｐ４０）。
【００５５】
ユーザ管理部１５０は、図１８に示すように、ユーザ端末装置２００から暗号化コンテンツ鍵情報配信要求を受け付け（Ｑ１０）、ユーザ情報あるいはユーザ識別情報、ユーザ個別保管エリア情報等とユーザ個別の保管エリアに蓄積された該当する暗号化コンテンツ鍵情報を暗号化コンテンツ鍵情報配信部１２００に発行する（Ｑ２０）。
【００５６】
暗号化コンテンツ鍵情報配信部１２００は、図１９に示すように、ユーザ情報あるいはユーザ識別情報、ユーザ個別保管エリア情報等とユーザ個別の保管エリアに蓄積された該当する暗号化コンテンツ鍵情報を受け付け（Ｒ１０）、該当する暗号化コンテンツ鍵を選択し（Ｒ２０）、ユーザ情報等から日限が超過していないかのチェックを行い（Ｒ３０）、暗号化コンテンツ鍵の全部あるいは一部の内容を暗号化コンテンツ鍵情報としてユーザ端末装置２００に配信する（Ｒ４０）。また、ユーザ端末装置２００への暗号化コンテンツ鍵情報の配信状況をユーザ管理部１５０に発行する（Ｒ５０）。
【００５７】
ユーザ管理部１５０は、図２０に示すように、暗号化コンテンツ鍵情報の配信状況を取得し（Ｓ１０）、日時情報を取得し（Ｓ２０）、視聴状況としてユーザ情報蓄積部Ｆ１に蓄積する（Ｓ３０）。
【００５８】
ユーザ端末装置２００において、本サービスを受けるためのユーザ操作があった場合、装置情報発行部２１０は、図２１に示すように、事前に行われたサービス加入申請により配布されたユーザ端末装置登録用情報のユーザ入力画面を表示し（Ｔ１０）、その登録用情報のユーザ入力を受け付けて確定し（Ｔ２０）、これに伴ってユーザ端末装置情報を取得し（Ｔ３０）、ユーザが入力したユーザ端末装置登録用情報と共にコンテンツ配信装置１００に発行する（Ｔ４０）。ここで、ユーザ端末装置情報は、ユニークな情報であることが望ましい。
【００５９】
続いて、装置情報発行部２１０は、図２２に示すように、コンテンツ配信装置１００から、接続可能であることが認めた情報を受け付け（Ｕ１０）、ユーザ端末装置登録用情報を蓄積し（Ｕ２０）、複数のユーザ端末装置登録用情報を管理し（Ｕ３０）、ユーザ操作により登録されているユーザ端末装置登録用情報一覧表示する（Ｕ４０）。
【００６０】
ここで、ユーザ端末装置登録用情報を選択し、必要に応じて削除可能とするが、この際、認証用情報の入力を行う必要があり、入力後、コンテンツ配信装置１００にアクセスし、ユーザ情報蓄積部Ｆ１に登録されている内容と照合し、削除可能との判定結果情報を受け付けた場合に削除可能となる（Ｕ５０）。
【００６１】
また、ユーザ端末装置２００において、ユーザ端末装置登録用情報登録後、本サービスを受けるユーザ操作があった場合、認証情報発行部２２０は、図２３に示すように、事前に行われたサービス加入申請により配布された認証用情報のユーザ入力画面を表示し（Ｖ１０）、認証用情報のユーザ入力を受け付けて確定する（Ｖ２０）。これに伴ってユーザ端末装置情報を取得し（Ｖ３０）、ユーザが入力した認証用情報と共にコンテンツ配信装置１００に発行する（Ｖ４０）。
【００６２】
続いて、認証情報発行部２２０は、図２４に示すように、コンテンツ配信装置１００から、接続可能であることが認めた情報を受け付け（Ｗ１０）、通信回線３００を介してコンテンツ配信装置１００からサービスを受けられる状態となる（Ｗ２０）。
【００６３】
この状態で、視聴要求管理部２２５は、図２５に示すように、コンテンツ配信装置１００からユーザが視聴可能なコンテンツリストを受け付け（Ｘ１０）、ユーザが選択する画面を表示する（Ｘ２０）。ここで、ユーザが既に視聴手続き済みのコンテンツ情報表示要求を行うことにより、この視聴手続き済みのコンテンツ情報表示要求をコンテンツ配信装置１００に発行し（Ｘ３０）、視聴可能日限情報、視聴状況等と共に視聴可能なコンテンツリストとしてコンテンツ配信装置１００から受け付け（Ｘ４０）、ユーザ選択画面を表示する（Ｘ５０）。
【００６４】
続いて、視聴要求管理部２２５は、図２６に示すように、視聴可能なコンテンツリストからユーザの選択操作を受け付け（Ｙ１０）、情報記憶媒体２３０から媒体情報の全てあるいは一部を取得し（Ｙ２０）、コンテンツ配信装置１００に発行する（Ｙ３０）。
【００６５】
ここで、ユーザの選択情報が視聴手続き済みコンテンツでない場合（Ｙ４０）、選択情報をコンテンツ配信装置１００に発行する（Ｙ５０ａ）。ユーザの選択情報が視聴手続き済みコンテンツである場合（Ｙ４０）、前回使用媒体判定情報をコンテンツ配信装置１００から受け付け（Ｙ５０）、前回使用した情報記憶媒体と一致しない場合（Ｙ６０）、前回使用した情報記憶媒体２３０のユーザ端末装置２００へのセット要求をコンテンツ配信装置１００から受け付け（Ｙ７０）、ユーザに対して通知する（Ｙ８０）。
【００６６】
ユーザが該当する情報記憶媒体２３０をセットできない場合（Ｙ９０）、新たに費用が発生する旨の通知をコンテンツ配信装置１００から受け付け、ユーザに通知し（Ｙ１００）、ユーザの了解行為によりその意向をコンテンツ配信装置１００に発行する（Ｙ１１０）。ユーザがこの該当する前回使用した情報記憶媒体２３０をユーザ端末装置２００にセットした場合（Ｙ１００ａ）、セットされた情報記憶媒体２３０から暗号化コンテンツ蓄積状況を取得し（Ｙ１００ａ）、コンテンツ配信装置１００に発行する（Ｙ１１０ａ）。
【００６７】
さらに、視聴要求管理部２２５は、図２７に示すように、ユーザが選択したコンテンツに対する視聴期限などのサービス形態を決定する視聴条件をコンテンツ配信装置１００から受け付け（Ｚ１０）、ユーザが指定する視聴条件選択画面を表示し（Ｚ２０）、ユーザ操作により指定を受け付けてコンテンツ配信装置１００に発行し（Ｚ３０）、価格情報等をコンテンツ配信装置１００から受け付け（Ｚ４０）、ユーザが指定する視聴条件選択画面に表示し（Ｚ５０）、ユーザの確定行為により視聴条件選択としてコンテンツ配信装置１００に発行する（Ｚ６０）。
【００６８】
ここで、自由指定は、固定された日にち単位の他、視聴回数による指定、時分単位での指定、画質（ＨＤ、ＳＤ、等）これらを組み合わせた指定でもよい。
【００６９】
暗号化コンテンツ取得処理部２４０は、コンテンツ配信装置１００から媒体情報発行要求を受け付け、セットされた情報記憶媒体の媒体情報をコンテンツ配信装置１００に発行する。
【００７０】
暗号化コンテンツ取得処理部２４０は、図２８に示すように、コンテンツ配信装置１００から配信された分割暗号化コンテンツを受け付け、順序データを読み取り（あ１０）、コンテンツ配信装置１００にて付加された順序データを取り除き、暗号化コンテンツデータを順序データ順に蓄積し、最終的に暗号化コンテンツとして蓄積する（あ２０）。
【００７１】
ここで、必須配信情報の暗号化コンテンツである場合、順序に関係なく蓄積する。また、必須課金情報の暗号化コンテンツデータである場合には、コンテンツ配信装置１００に発行し、課金などの手続きが終えた旨の情報をコンテンツ配信装置１００から取得後、蓄積する。暗号化コンテンツデータあるいは、暗号化コンテンツが蓄積される媒体は、情報記憶媒体の他、記憶媒体２７０でもよい。
【００７２】
暗号化コンテンツ取得処理部２４０は、分割された暗号化コンテンツデータ毎の取得情報をコンテンツ配信装置１００に発行し（あ３０）、ユーザ端末装置２００にて何処までのデータを受信したかの管理を行う（あ４０）。
【００７３】
暗号化コンテンツ取得処理部２４０は、受信された分割暗号化コンテンツＣ２の蓄積状況と、ユーザ端末装置２００にてユーザが通常の再生速度でコンテンツの最後まで視聴する場合の再生速度から、蓄積が必要なデータ量を割り出す（あ５０，あ６０）。そして、そのデータ量がコンテンツ配信装置１００から通信回線３００を介して蓄積される時間を通信回線３００の配信速度から算出し（あ７０）、ユーザ画面に表示する（あ８０）。この蓄積に必要なデータ量と時間情報は、コンテンツ配信装置１００から受け付けてもよい。上記の最小必要データ量をコンテンツ配信装置１００から取得した上でユーザの視聴を可能とすることが望ましい。
【００７４】
一方、暗号化コンテンツ鍵情報取得処理部２５０は、図２９に示すように、ユーザの視聴要求によりコンテンツ配信装置１００に暗号化コンテンツ鍵情報配信要求を発行し（い１０）、コンテンツ配信装置１００から暗号化コンテンツ鍵情報を受け付け（い２０）、コンテンツ視聴部２６０に発行する（い３０）。
【００７５】
これを受けて、コンテンツ視聴部２６０は、図３０に示すように、情報記憶媒体２３０、記憶媒体２７０などに蓄積された暗号化コンテンツデータを暗号化コンテンツ鍵情報取得処理部２５０から発行された暗号化コンテンツ鍵情報、情報記憶媒体の媒体情報及び、装置固有鍵情報に基づき復号し（う１０，う２０，う３０，う４０）、ユーザが視聴可能とする。ここで、復号し、視聴が終えたと判断した場合、対象となったデータを消去してもよい。
【００７６】
コンテンツ視聴部２６０は、コンテンツ配信装置１００が配信しつつ視聴している場合、早送りなどのユーザ操作により配信されているデータの終端に到達した場合、あるいはチャプター遷移操作、サムネイル等による視聴箇所選択操作などにより配信されていないデータが選択された場合、配信されるまで待つよう促すメッセージなどをユーザに通知し（う５０）、優先的に送って欲しいデータを暗号化コンテンツ取得処理部２４０に発行する（う６０）。暗号化コンテンツ取得処理部２４０はこれを受け、コンテンツ配信装置１００に発行する（う７０）。
【００７７】
また、コンテンツ視聴部２６０は、図３１に示すように、選択したコンテンツの最終量（コンテンツ容量、配信完了予定時刻、％など）を現在蓄積したコンテンツの量（コンテンツ容量、現在時刻、％など）、現在視聴している位置（コンテンツの初めから現在視聴した容量、コンテンツの初めから現在視聴した時間情報、％など）をユーザに表示可能とする（え１０，え２０，え３０，え４０）。この表示は、スケールゲージ表示等で視覚的に表示することが望ましい。
【００７８】
表示例を図３２に示す。この図３２において、（ａ）では、記憶媒体のＤＶＤ−ＲＡＭディスク（容量４．７ＧＢ）に対し、コンテンツが順に送信されてくるものとし、現在配信を完了している量、現在視聴している経過時間（時：分：秒）、配信完了予定時刻をスケールゲージで表示した様子を示している。（ｂ）では、分割コンテンツが要求順に送られてくる場合に、（ａ）の表示情報に加え、現在配信が完了していない領域、データ容量が視覚的に表示される様子を示している。（ｃ）では、分割キャプチャー単位でダウンロードの完了状況が視覚的に表示される様子を示している。状況把握の目安となるステータス情報として、図に示すように、ダウンロード済み「ＯＫ」、ダウンロード中「ＤＬ」、ダウンロードの順序番号を表示するとよい。
【００７９】
以上のように構成されたコンテンツ配信サービス提供システムによれば、ユーザが通信回線を利用して簡単なアクセス及びコンテンツ選択をすることにより、著作権が保護された形でコンテンツが所定の情報記憶媒体２３０あるいは記憶媒体２７０上に書き込まれ、安定した視聴ができ、有効な視聴期限の管理及び端末装置へ配信を行い視聴期限内での効率的な配信を可能とする有効なコンテンツの配信サービスを実現することができる。
【００８０】
ここで、コンテンツ配信装置１００とユーザ端末装置２００は通信回線３００を使用する。その他装置間は、通信回線３００の他、直接接続された線、回路、記憶媒体等の利用を含むその他情報伝達手段を用いてもよい。
【００８１】
また、コンテンツ配信装置１００内の各部は、コンテンツ配信装置１００内に搭載あるいは、接続されている場合と、単独で存在する場合のどちらでもよいものとする。
【００８２】
また、ユーザ端末装置２００内の各部は、ユーザ端末装置２００内に搭載あるいは、接続されている場合と、単独で存在する場合のどちらでもよいものとする。
【００８３】
また、情報記憶媒体２３０とは、ＤＶＤ−ＲＡＭディスクなど読取専用領域と書込可能領域を併せ持ち、読込専用領域には各種ユーザ機器に対応した媒体鍵情報と媒体毎に保有する媒体固有識別子が存在するものであり、ディスク状の媒体に限らず、テープ状の媒体あるいは半導体情報媒体等（メモリ、ＩＣカード等）を用いてもよい。
【００８４】
また、記憶媒体２７０とは、ＤＶＤ−ＲＡＭディスクなど読取専用領域と書込可能領域を併せ持つ情報記憶媒体に限らず、ディスク上の媒体、テープ上の媒体、半導体情報媒体等（メモリ、ＩＣカード等）情報を記憶することの可能な媒体を示す。
【００８５】
尚、上記実施形態において、暗号化コンテンツ鍵と暗号化コンテンツが保管される場所は、読込専用領域に媒体情報が存在する情報記憶媒体に限らず、別の記憶媒体でもよい。
【００８６】
例えば、暗号化コンテンツはハードディスクに保管し、暗号化コンテンツ鍵はＩＣカード、ＤＶＤ媒体等の情報記憶媒体に記憶するようにしてもよい。
【００８７】
また、暗号化コンテンツと暗号化コンテンツ鍵共にハードディスクに保管し、ＩＣカード、ＤＶＤ媒体等の情報記憶媒体がユーザ側装置で読み出し可能な状態となっていれば、ダウンロードも視聴も可能とするような形態でもよい。
【００８８】
また、上記実施形態において、情報記憶媒体２３０としてＣＰＲＭ対応の媒体（例えばＤＶＤ）を利用する場合、暗号化コンテンツ取得処理部２４０の連携アプリケーションは、ＣＰＲＭ対応の媒体の読込専用領域にあるＭＫＢ（Media Key Block：媒体鍵情報）ハッシュ値（ＭＫＢ識別情報としてＭＫＢと同様に媒体の読込専用領域に存在する）を読み取り、暗号化コンテンツ鍵取得部１８０を介して暗号化コンテンツ鍵生成部４１０に送るようにするようにしてもよい。これにより情報伝送量を少なくすることができる。
【００８９】
また、暗号化コンテンツ鍵情報は、ユーザ端末装置２００の一過性メモリ内に保管される形態が望ましく、情報が消去されるタイミングは、コンテンツ視聴終了時、コンテンツ視聴停止時、ユーザ端末電源オフ時、ユーザ端末停止時、情報記憶媒体取り出し時、コンテンツ配信装置との通信断時などが望ましい。
【００９０】
課金が行われるタイミングは、視聴条件選択時の他、暗号化コンテンツの一部あるいは全てが情報記憶媒体に保存されたタイミングあるいは、暗号化コンテンツ鍵がユーザ個別エリアに保管されたタイミングおるいは、暗号化コンテンツ鍵がユーザ端末に発行されたタイミングの何れかでもよい。
【００９１】
視聴条件選択は、コンテンツ選択した後の他、コンテンツ選択前に指定し、条件に見合うコンテンツをコンテンツリストに表示する形態としてもよい。また、コンテンツ視聴途中で、コンテンツ配信装置１００あるいはユーザ端末装置２００にて管理された情報、あるいは、暗号化コンテンツ内の情報により視聴条件を判定し選択するようにしてもよい。
【００９２】
また、視聴期限付きコンテンツか否かを判別する情報を暗号化コンテンツ鍵内あるいは暗号化コンテンツ内に入れておくようにしてもよい。
【００９３】
また、配信コンテンツ内に視聴の途中で所定のタイミングで暗号化コンテンツ鍵配信を要求するようにしてもよい。この場合、途中の暗号化コンテンツ鍵配信要求発生時に、以後の視聴では課金されることを通知するような手法を取り入れてもよい。また、暗号化コンテンツ鍵配信のタイミングは、コンテンツ視聴中、装置自体が定期的に発生するようにしてもよい。
【００９４】
また、ユーザ端末装置２００にて、コンテンツ配信装置１００から取得した暗号化コンテンツ鍵を媒体情報及び装置固有鍵情報を用いて復号し、復号されたコンテンツ鍵をユーザ端末装置２００の装置固有鍵情報及び、復号した際と同一あるいは別の媒体情報を用いて再暗号化することで、暗号化コンテンツ鍵を生成するようにしてもよい。
【００９５】
また、ユーザ端末装置２００にて、媒体情報及び装置固有鍵情報を用いて暗号化コンテンツ鍵を復号し、復号されたコンテンツ鍵を用いて暗号化コンテンツを復号し、ユーザ端末装置２００が保有する暗号化機能を用いてコンテンツ鍵の再生成、コンテンツ鍵の再暗号化、コンテンツの再暗号化を行うようにしてもよい。
【００９６】
また、ユーザがコンテンツ視聴有効期間または視聴有効回数の延長を求める場合を考慮し、ユーザ端末装置２００から視聴条件変更要求をコンテンツ配信装置１００に送ることで、コンテンツ配信装置１００側で該当ユーザの視聴条件管理情報を変更し、延長の場合にはその分の課金処理を行うようにする。
【００９７】
また、ユーザが配信コンテンツを視聴した結果、そのコンテンツを購入したくなるケースも考えられる。そこで、ユーザ端末装置２００からコンテンツ配信装置１００にコンテンツ購入を要求可能とし、コンテンツ配信装置１００側でコンテンツ購入要求に応じて鍵保存許可を発行するようにし、ユーザ端末装置２００側で許可された暗号化コンテンツ鍵またはその暗号化コンテンツ鍵から生成されるコンテンツ鍵を情報記憶媒体に埋め込み、いつでも記録したコンテンツを復号再生できるようにするとよい。
【００９８】
その他、分割された暗号化コンテンツのうち、予め決められた必須配信の分割コンテンツを送り、他の分割コンテンツをオプション指定により配信するようにしたり、分割された暗号化コンテンツのうち、予め決められた分割コンテンツの視聴要求をもって課金処理を実行するようにしたりすると、コンテンツ分割による利便性を高めることができる。
【００９９】
また、コンテンツ分割配信の効果として、必須配信部分をコマーシャルとして流すことが可能となり、これによって広告料の収入を見込め、システムの安定した運用に寄与することが可能となる。
【図面の簡単な説明】
【０１００】
【図１】本発明に係るコンテンツ配信サービス提供システムの一実施形態を示す概念図。
【図２】図１に示すコンテンツ配信装置のサービス加入申請受付部及び端末登録認証情報発行部の処理手順を示すフローチャート。
【図３】図１に示すコンテンツ配信装置の装置情報登録部の処理手順を示すフローチャート。
【図４】図１に示すコンテンツ配信装置のユーザ認証部の処理手順を示すフローチャート。
【図５】図１に示すコンテンツ配信装置のユーザ管理部の処理手順を示すフローチャート。
【図６】図１に示すコンテンツ配信装置のユーザ管理部の処理手順を示すフローチャート。
【図７】図１に示すコンテンツ配信装置のユーザ管理部の処理手順を示すフローチャート。
【図８】図１に示すコンテンツ配信装置のユーザ管理部の処理手順を示すフローチャート。
【図９】図１に示すコンテンツ配信装置の処理手順の一部を示すフローチャート。
【図１０】図１に示すコンテンツ配信装置のユーザ管理部の処理手順を示すフローチャート。
【図１１】図１に示すコンテンツ配信装置の暗号化コンテンツ鍵取得部の処理手順を示すフローチャート。
【図１２】図１に示す暗号化コンテンツ鍵発行装置の処理手順を示すフローチャート。
【図１３】図１に示すコンテンツ配信装置の暗号化コンテンツ鍵取得部の処理手順を示すフローチャート。
【図１４】図１に示すコンテンツ配信装置のユーザ管理部の処理手順を示すフローチャート。
【図１５】図１に示すコンテンツ配信装置の分割暗号化コンテンツ配信部の処理手順を示すフローチャート。
【図１６】図１に示すコンテンツ配信装置の分割暗号化コンテンツ配信部の処理手順を示すフローチャート。
【図１７】図１に示すコンテンツ配信装置のユーザ管理部の処理手順を示すフローチャート。
【図１８】図１に示すコンテンツ配信装置のユーザ管理部の処理手順を示すフローチャート。
【図１９】図１に示すコンテンツ配信装置の暗号化コンテンツ鍵情報配信部の処理手順を示すフローチャート。
【図２０】図１に示すコンテンツ配信装置のユーザ管理部の処理手順を示すフローチャート。
【図２１】図１に示すユーザ端末装置の装置情報発行部の処理手順を示すフローチャート。
【図２２】図１に示すユーザ端末装置の装置情報発行部の処理手順を示すフローチャート。
【図２３】図１に示すユーザ端末装置の認証情報発行部の処理手順を示すフローチャート。
【図２４】図１に示すユーザ端末装置の認証情報発行部の処理手順を示すフローチャート。
【図２５】図１に示すユーザ端末装置の視聴要求管理部の処理手順を示すフローチャート。
【図２６】図１に示すユーザ端末装置の視聴要求管理部の処理手順を示すフローチャート。
【図２７】図１に示すユーザ端末装置の視聴要求管理部の処理手順を示すフローチャート。
【図２８】図１に示すユーザ端末装置の暗号化コンテンツ取得処理部の処理手順を示すフローチャート。
【図２９】図１に示すユーザ端末装置の暗号化コンテンツ鍵情報取得処理部の処理手順を示すフローチャート。
【図３０】図１に示すユーザ端末装置のコンテンツ視聴部の処理手順を示すフローチャート。
【図３１】図１に示すユーザ端末装置のコンテンツ視聴部の処理手順を示すフローチャート。
【図３２】図１に示すユーザ端末装置のコンテンツ視聴部のコンテンツ蓄積状況及び視聴状況を視覚的に表示する一例を示す図。
【符号の説明】
【０１０１】
１００…コンテンツ配信装置、１１０…サービス加入受付部、１２０…端末登録認証情報発行部、１３０…装置情報登録部、１４０…ユーザ認証部、１５０…ユーザ管理部、１６０…日時同期部、１７０…データ分割部、１８０…暗号化コンテンツ鍵取得部、１９０…分割暗号化コンテンツ配信部、１２００…暗号化コンテンツ鍵情報配信部、
２００…ユーザ端末装置、２１０…装置情報発行部、２２０…認証情報発行部、２３０…媒体情報（媒体固有識別子及び媒体鍵情報）を有する情報記憶媒体、２４０…暗号化コンテンツ取得処理部、２５０…暗号化コンテンツ鍵情報取得処理部、２６０…コンテンツ視聴部、２７０…情報記憶媒体、
３００…通信回線、
４００…暗号化コンテンツ鍵発行装置、４１０…暗号化コンテンツ鍵生成部、
５００…サービス加入端末装置、５１０…サービス加入申請部。
【図１】
2005159752.tif 000003
【図２】
2005159752.tif 000004
【図３】
2005159752.tif 000005
【図４】
2005159752.tif 000006
【図５】
2005159752.tif 000007
【図６】
2005159752.tif 000008
【図７】
2005159752.tif 000009
【図８】
2005159752.tif 000010
【図９】
2005159752.tif 000011
【図１０】
2005159752.tif 000012
【図１１】
2005159752.tif 000013
【図１２】
2005159752.tif 000014
【図１３】
2005159752.tif 000015
【図１４】
2005159752.tif 000016
【図１５】
2005159752.tif 000017
【図１６】
2005159752.tif 000018
【図１７】
2005159752.tif 000019
【図１８】
2005159752.tif 000020
【図１９】
2005159752.tif 000021
【図２０】
2005159752.tif 000022
【図２１】
2005159752.tif 000023
【図２２】
2005159752.tif 000024
【図２３】
2005159752.tif 000025
【図２４】
2005159752.tif 000026
【図２５】
2005159752.tif 000027
【図２６】
2005159752.tif 000028
【図２７】
2005159752.tif 000029
【図２８】
2005159752.tif 000030
【図２９】
2005159752.tif 000031
【図３０】
2005159752.tif 000032
【図３１】
2005159752.tif 000033
【図３２】
2005159752.tif 000034